(57)【要約】      （修正有）【課題】発射弾丸の回収作業を人手によることなく、安全に行なえ、作業環境・作業改善にすぐれた射撃場における弾丸回収装置を開発・提供する。【解決手段】バックストップを連設し、その前方に各射撃訓練用標的Ｚをそれぞれ設けた射撃場施設において、バックストップＹの下方、後方、もしくは周囲に、発射弾丸等の落下物を受けて搬送する搬送部と、あるいは、搬送部は設けず、直接、発射弾丸等の落下物を、選別・回収する選別・搬送部と、搬送部の末端で、搬送されて来た発射弾丸等の落下物を、選別、搬送する選別・搬送部と、選別・搬送部の末端に、発射弾丸を計量して回収する弾丸回収部とからなることを特徴とする射撃場における弾丸回収装置。【選択図】図１
2015203551.tif 000002
【特許請求の範囲】
【請求項１】
屋内・屋外を問わず、バックストップを連設し、その前方に各射撃訓練用標的をそれぞれ設けた射撃場施設において、バックストップの下方に、発射弾丸等の落下物を、選別、搬送する選別・搬送部と、該選別・搬送部の末端に、発射弾丸を計量して回収する弾丸回収部とからなることを特徴とする射撃場における弾丸回収装置。
【請求項２】
屋内・屋外を問わず、バックストップを連設し、バックストップの下方、後方、もしくは周囲に、発射弾丸等の落下物を受けて搬送する搬送部と、該搬送部の先端で、搬送されて来た発射弾丸等の落下物を選別、回収する，選別・回収部と、該選別・回収部の先端に、発射弾丸を計量して回収する弾丸回収部、とを設けたことを特徴とする射撃場における弾丸回収装置。
【請求項３】
選別・搬送部が、網目の一辺が弾丸最大寸法と等しい、もしくは弾丸寸法より大きい網目を有する透過部材と、網目の一辺が弾丸最小寸法と等しい、もしくは弾丸寸法より小さい網目を有する透過部材との，大・小の網目状の一又は複数の透過部材と、
該透過部材の下部に、透過された落下物を、振動ふるい機能を有する駆動源で搬送し、これら透過部材の下部には、発射弾丸以外の落下物を回収する落下物回収入れを設けた
ことを特徴とする請求項１記載の射撃場における弾丸回収装置。
【請求項４】
前記大・小の網目状の一又は複数の透過部材は、該部材の向きの変更、及び取り替え可能であることを特徴とする請求項１または２記載の射撃場における弾丸回収装置。
【請求項５】
弾丸回収部において、弾丸回収入れを台秤等の計量装置上に設けた
ことを特徴とする請求項１記載の射撃場における弾丸回収装置。
【発明の詳細な説明】
【技術分野】
【０００１】
この発明は、射撃場における弾丸回収装置に関するものである。
【背景技術】
【０００２】
従来、射撃場における弾丸回収装置は、屋内・外を問わず、種々存在していた。
しかし、回収方法如何によっては、鉛弾丸の場合には、人手による回収作業であり、人体に悪影響を与えるものであり、また、射撃による粉塵を含んだ鉛粉が空気を舞い上げ、これも健康上も問題があった。
【０００３】
弾丸を吸引力を有する吸引手段によって、吸い取る装置が開示されている。
例えば、特許文献１のように。
【０００４】
しかし、特許文献１に開示された鉛粉を含んだ空気を舞い上げるため、作業環境に問題があった。
【０００５】
また、屋外に設置された射撃場の鉛弾を回収するシステムも存在するが、この技術は鉛弾を含む土砂を解砕して乾燥させ、鉛弾の粒径より若干大きい粒径以上の土砂と鉛弾を含むそれより小さい土砂に分級し、鉛弾を含む土砂を風力を用いて比重差選別する技術が開示されている。例えば、特許文献２のように。
【０００６】
しかし、この技術は、選別作業に従事する作業者には、舞い上がった鉛粉を吸い込む危険性があり、健康上思わしいものではなかった。
【０００７】
さらに、発射された弾丸を受け止めるバックストップ（緩衝材）も、種々存在し、合成樹脂又はゴムを含む可塑性シートの複数枚を射撃場の標的周辺部に支持手段を介してそれぞれ独立に支持されるか可塑性シートの技術も開示されている。例えば、特許文献３のように。
【０００８】
しかし、この跳弾防止装置も、それぞれが独立して支持されているため、射撃の初心者等であれば、可塑性シートから外れ、屋内の壁等に弾丸を散らばると、回収作業が煩雑である。
【０００９】
さらに、射撃手から見て標的の後方に配設されるバックストップであって、射撃手に対向するに前後方向に並設された平板状の繊維入り硬質ゴム素材よりなる複数のトラップ材、または、繊維入り硬質ゴム素材よりなるトラップ材と鋼板よりなるトラップ材とで構成される複数のトラップ材と、前記複数のトラップ材の下方に設けられた弾丸を回収するための弾丸回収装置の技術も開示されている。例えば、特許文献４のように。
【００１０】
しかし、このバックストップも、それぞれ、複数に配設されており、前述と同じ、初心者の射撃手であれば、このバックストップから外れた位置に弾丸が当たると、跳ね返り等で危険であったり、また、回収作業もそれぞれ行なわなければならず、煩雑であり、人手による回収では健康上問題がある。
【先行技術文献】
【特許文献】
【００１１】
【特許文献１】特許第４７１７６５２号公報
【特許文献２】特許第４０４３９１７号公報
【特許文献３】特許第４６９８３１７号公報
【特許文献４】特許第４００１５９５号公報
【発明の概要】
【発明が解決しようとする課題】
【００１２】
この発明の課題は、発射弾丸の回収作業を人手によることなく、安全に行なえ、作業環境・作業改善にすぐれた射撃場における弾丸回収装置を開発・提供するものである。
【課題を解決するための手段】
【００１３】
この発明の射撃場における弾丸回収装置は、屋内、あるいは屋外に、バックストップを設け、その前方に各射撃訓練用標的をそれぞれ設けた射撃場施設において、バックストップの下方、若しくは近傍に、発射弾丸等の落下物を、選別、搬送する選別・搬送部と、該選別・搬送部の末端に、発射弾丸を計量して回収する弾丸回収部とからなる射撃場における弾丸回収装置である。
【００１４】
この発明の射撃場における弾丸回収装置は、屋内、あるいは屋外に、バックストップを設け、その前方に各射撃訓練用標的をそれぞれ設けた射撃場施設において、バックストップの下方、若しくは近傍に、発射弾丸等の落下物を受けて搬送する搬送部と、該搬送部の末端で、搬送されて来た発射弾丸等の落下物を、選別、搬送する選別・搬送部と、該選別・搬送部の末端部に、発射弾丸を計量して回収する弾丸回収部とからなる射撃場における弾丸回収装置である。
【００１５】
そして、選別・搬送部が、網目の一辺が弾丸最大寸法と等しい、もしくは弾丸寸法より大きい網目を有する透過部材と、網目の一辺が弾丸最小寸法と等しい、もしくは弾丸寸法より小さい網目を有する透過部材との，大・小の網目状の一又は複数の透過部材と、該透過部材の下部に、透過された落下物を、振動ふるい機能を有する駆動源で搬送し、これら透過部材の下部には、発射弾丸以外の落下物を回収する落下物回収入れを設けた射撃場における弾丸回収装置である。
【００１６】
前記大・小の網目状の一又は複数の透過部材は、該部材の向きの変更、及び取り替え可能である射撃場における弾丸回収装置である。
【００１７】
弾丸回収部において、弾丸回収入れを台秤等の計量装置上に設けた射撃場における弾丸回収装置である。
【発明の効果】
【００１８】
この発明によると、広範囲に発射された発射弾丸は、他の落下物と共に、バックストップの下方、後方、もしくは周囲に一連に設けた搬送部に落下し、搬送され、さらに選別・搬送部に搬送され、発射弾丸は、他の落下物とに選別され、弾丸回収部に搬送されることにより、発射弾丸を作業者が触れることなく自動的に回収ができるため、鉛弾丸の回収作業の煩雑さがなく、また、回収時間の節約が図れ、かつ、発射弾丸の有する鉛、鉛粉を含んだ空気を舞い上げることなく、作業者の健康が保持出来、作業環境と作業改善にすぐれている等の極めて有益なる効果を奏する。
【００１９】
また、前記透過部材は、発射弾丸の貫通により、大の網目状の透過部材は、発射弾丸と等しいもしくは大きいバックストップや標的等のゴム片や紙片を選別して回収し、小の網目状の透過部材は、発射弾丸より小さなゴム片やゴム粉を回収でき、最終的に、自動的に発射弾丸だけを回収できる効果を有する。
【００２０】
さらに、これら透過部材は、網目状の透過部材を整列、あるいは不規則に配列したり、射撃訓練で異なった大きさの発射弾丸を用いる場合には、弾丸のサイズに合わせた網目状の透過部材と、取り替えて使用することもでき、極めて便利である。
【００２１】
そして、選別されて回収された発射弾丸は、弾丸質量を計量されて回収袋等の収納部に収納されるため、改めて、質量を計測することがなく、極めて有益なる効果を奏する。
【図面の簡単な説明】
【００２２】
【図１】この発明の射撃場施設の一実施例を示す説明図である。
【図２】この発明の射撃場施設の他の実施例を示す一部欠截斜視図である。
【図３】この発明に使用する搬送部の一実施例を示す一部拡大断面図である。
【図４】この発明に使用する搬送部、並びに発射弾丸の回収部の一実施例を示す一部欠截斜視図である。
【図５】この発明に使用する選別・回収部の一実施例を示す一部欠截側面図である。
【図６】図３に示すａ部分の一部欠截拡大斜視図である。
【図７】この発明に使用する搬送部の他の実施例を示し、（Ａ）は、射撃練習時の説明図であり、（Ｂ）は、弾丸回収時の説明図である。
【図８】この発明に使用するバックストップを示し、（Ａ）は、ロ字状のバックストップであり、（Ｂ）は、コ字状のバックストップの斜視図である。
【発明を実施するための形態】
【００２３】
この発明は、屋内・屋外を問わず、バックストップを連設し、その前方に各射撃訓練用標的をそれぞれ設けた射撃場施設において、バックストップの下方に、発射弾丸等の落下物を、選別、搬送する選別・搬送部と、該選別・搬送部の末端に、発射弾丸を計量して回収する弾丸回収部とからなる射撃場における弾丸回収装置と、さらに、バックストップの下方、後方、もしくは周囲に、発射弾丸等の落下物を受けて搬送する搬送部と、該搬送部の先端で、搬送されて来た発射弾丸等の落下物を選別、回収する，選別・回収部と、該選別・回収部の先端に、発射弾丸を計量して回収する弾丸回収部、とを設けた射撃場における弾丸回収装置である。
【実施例】
【００２４】
〔実施例１〕
次に、この発明の一実施例を、図面に基づいて詳述すると、屋内・屋外を問わず、バックストップＹを連設し、その前方に各射撃訓練用標的をそれぞれ設けた射撃場施設において、バックストップＹの下方に、発射弾丸等の落下物１を、選別、搬送する選別・搬送部Ｂと、該選別・搬送部Ｂの末端に、発射弾丸を計量して回収する弾丸回収部Ｃとからなる射撃場における弾丸回収装置から構成される。
【００２５】
〔実施例２〕
また、この発明の他の実施例を図面に基づいて詳述すると、屋内・屋外を問わず、バックストップＹを連設し、その前方に各射撃訓練用標的Ｚをそれぞれ設けた射撃場施設において、バックストップＹの下方、若しくは近傍に、発射弾丸等の落下物１を受けて搬送する搬送部Ａと、該搬送部の末端で、搬送された発射弾丸等の落下物１を選別・搬送する選別・搬送部Ｂ、該選別・回収部の末端に、発射弾丸を計量して回収する弾丸回収部Ｃとを設けた射撃場における弾丸回収装置から構成されるものである。
【００２６】
ここで、この発明である〔実施例１〕の、選別・搬送部Ｂと、弾丸回収部Ｃから構成される射撃場における弾丸回収装置と、この発明である〔実施例２〕搬送部Ａと、選別・搬送部Ｂと、発射弾丸回収部Ｃとから構成される射撃場における弾丸回収装置の、各構成要素である搬送部Ａ、選別・搬送部Ｂ、弾丸回収部Ｃを個々に詳細に説明する。
【００２７】
尚、バックストップＹは、隣接のバックストップと隙間を空けて設置する場合もあり、また、バックストップＹの形状は、図１に示す一直線状であったり、図８（Ａ）に示すように周囲を取り囲んだロ字状や、図８（Ｂ）に示すように、一辺が開口したコ字状であってもよい。さらに、選別・搬送部Ｂと、弾丸回収部Ｃは、各バックストップごとに設置するよう構成されたものである。
【００２８】
次に、この発明を構成する、搬送部Ａは、バックストップＹの下方に位置しており、少なくとも各バックストップＹの合計幅の長さを有するベルトコンベア２を設けており、必要に応じて、該コンベア２上に発射弾丸等の落下物１を案内するホッパー３を設け、前記コンベア２上に、発射弾丸等の落下物１が確実に落下するように案内するものである。尚、ホッパー３を設けない場合には、幅広い面積を有するベルトコンベア（図示しない。）を設ける必要がある。
【００２９】
尚、バックストップＹの一例としては、長・短の積層ゴムシート等の緩衝材を複数枚重ねて吊り下げて構成したものであり、発射弾丸を該バックストップＹで受け止め、発射弾丸の勢いを鎮静させる緩衝部材とし、発射弾丸を下方に落下させることを目的としたものである。
【００３０】
また、図７に示すように、搬送部Ａのベルトコンペア２は、バックストップＹの後方に設ける場合もある。その際は、バックストップＹ下部の床面を、後方に進むに従って下がる傾斜面に形成すると共に、バックストップＹの背面に、鋼板で構成された可倒式背面板11を設け、該背面板11の下端にヒンジを設ける。それにより、前記傾斜面に溜まった発射弾丸等の落下物１は、該背面板11を後方に倒すことにより、前記発射弾丸等の落下物１は背面板11上を転がり、前記搬送部Ａのベルトコンベア２上に落下するよう構成してもよい。
【００３１】
次に、選別・搬送部Ｂの構成を詳述すると、該選別・搬送部Ｂは前記ベルトコンベア２の進行方向の先端部に設けられ、発射弾丸を基準にして、大・小の網目状の一又は複数の透過部材４を設け、該透過部材４は発射弾丸より大きいゴム片等の落下物１を回収する大の網目状の透過部材４ａと、発射弾丸より小さなゴム粉等の等の落下物１を回収する小の網目状の透過部材４ｂから構成され、さらに、該透過部材４の下部には、振動ふるい機能を有するシリンダー、あるいは、振動モーター等の駆動源５を設けており、発射弾丸を滞留なく、弾丸回収部Ｃに向けて搬送するよう構成するものである。
【００３２】
また、前記透過部材４である，大の網目状の透過部材４ａや小の網目状の透過部材４ｂの下部には、それぞれホッパー６を設け、該ホッパー６の下部には、落下物回収入れ７を設け、ゴム片等微細粉の落下物１の回収を行なうものである。
【００３３】
また、小の網目状の透過部材４ｂは、網目を矩形状に形成しており、連接する透過部材４ｂを、網目を縦・横に変化を持たせて縦・横に並べ替えて敷設したり、また、射撃訓練で使用する発射弾丸の種類に応じて、その弾丸に対応する大きさの網目の透過部材を用意するものである。
【００３４】
最後に、弾丸回収部Ｃは、前記選別・搬送部Ｂに設けた，前記透過部材４の先端に、発射弾丸を回収する弾丸回収入れ８と、該弾丸回収入れ８の下部に、弾丸質量測定用の台秤９を設けており、該台秤９には触れないよう構成され、弾丸回収入れ８を起立させるための起立枠10を設け、該起立枠10で弾丸回収袋８の口縁部を捲って設け、該弾丸回収入れ８が独立して起立し、該袋の開口状態を保持するよう形成する。
【００３５】
この発明を用いた作動を説明すると、発射弾丸は、前記標的Ｚを貫通したり、あるいは、標的から外れて、バックストップＹに当接して落下し、該バックストップの下方に設けたベルトコンベア２上に落下する。落下した発射弾丸ならびに、発射弾丸によって破損したバックストップＹや標的Ｚを構成する部材のゴムや紙等の切れ端等と共に、ベルトコンベア２で搬送される。そしてこれら落下物１は、大・小の網目状の透過部材４上に搬送され、該透過部材４の駆動源５の作動により、ふるいにかけられながら、発射弾丸のみが自動的に搬送され、人手に触れることなく、また、台秤９により質量を計測されて、弾丸回収入れ８内に回収されるものである。
【産業上の利用可能性】
【００３６】
この発明の射撃場における弾丸回収装置の技術を確立し、実施することにより産業上利用可能性があるものである。
【符号の説明】
【００３７】
１  発射弾丸等の落下物
２  ベルトコンベア
３  ホッパー
４  透過部材
４ａ  大の網目状の透過部材
４ｂ  小の網目状の透過部材
５  振動ふるい機能を有する駆動源
６  ホッパー
７  落下物回収入れ
８  弾丸回収入れ
９  台秤
10  起立枠
11  可倒式背面板
Ａ  搬送部
Ｂ  選別・搬送部
Ｃ  発射弾丸回収部
Ｘ  室
Ｙ  バックストップ
Ｚ  射撃訓練用標的
【図１】
2015203551.tif 000003
【図２】
2015203551.tif 000004
【図３】
2015203551.tif 000005
【図４】
2015203551.tif 000006
【図５】
2015203551.tif 000007
【図６】
2015203551.tif 000008
【図７】
2015203551.tif 000009
【図８】
2015203551.tif 000010